(57)【要約】【課題】簡単な構成で補強対象物に取り付けられた状態とすることが可能な補強部材を提供する。【解決手段】野縁受け３０を介在させる前板部２２及び対向部を有するハンガー２０に取り付けられ、前板部２２及び対向部が開くように変形するのを抑制する補強部材１００であって、平面視で前板部２２及び対向部の周囲を外側から取り囲むように形成された前壁部１１０、後壁部、左壁部１３０及び右壁部１４０と、野縁受け３０に当接することにより野縁受け３０に引っ掛かる引っ掛け部１４１と、を具備する。【選択図】図２
2019173314.tif 000002
【特許請求の範囲】
【請求項１】
野縁受けを介在させる一対の板部を有する補強対象物に取り付けられ、前記一対の板部が開くように変形するのを抑制する補強部材であって、
平面視で前記一対の板部の周囲を外側から取り囲むように形成された壁部と、
前記野縁受けに当接することにより前記野縁受けに引っ掛かる引っ掛け部と、
を具備する、
補強部材。
【請求項２】
前記引っ掛け部は、
前記壁部の下端部が開口された凹状に形成され、
前記野縁受けを受け入れると共に、前記引っ掛け部の縁部の少なくとも一部が前記野縁受けに載置される、
請求項１に記載の補強部材。
【請求項３】
前記引っ掛け部の縁部の少なくとも一部は、
前記野縁受けの側面に当接される、
請求項２に記載の補強部材。
【請求項４】
前記引っ掛け部は、
下方に向かうにつれて開口幅が小さくなるようなテーパ状に形成される、
請求項２又は請求項３に記載の補強部材。
【請求項５】
前記補強対象物は、
前記野縁受けを支持するため吊りボルトに吊設されるハンガーであり、
前記一対の板部の一方から立ち上がるように形成されると共に前記吊りボルトに取り付けられる立ち上がり部を具備し、
前記壁部は、
前記壁部の上端部と下端部との間を亘るように延びて形成され、前記補強部材の取り付け時に前記立ち上がり部が通過可能なスリットを具備する、
請求項１から請求項４までのいずれか一項に記載の補強部材。
【請求項６】
前記スリットは、
上端部又は下端部の少なくともいずれか一方に向かうにつれて前記スリットの横幅が大きくなるようなテーパ部を具備する、
請求項５に記載の補強部材。
【請求項７】
前記壁部は、
前記補強部材の取り付け時に、前記スリットの横幅における最も小さい部分が前記立ち上がり部の横幅よりも大きくなるように弾性変形可能に構成される、
請求項５又は請求項６に記載の補強部材。
【請求項８】
前記壁部は、
平面視で略台形状に形成されると共に、上底又は下底に相当する部分に前記スリットが形成される、
請求項５から請求項７までのいずれか一項に記載の補強部材。
【請求項９】
前記壁部は、
前記補強部材の取り付け時に、前記一対の板部の少なくとも一部を挟むように塑性変形可能な変形部を具備する、
請求項１から請求項８までのいずれか一項に記載の補強部材。
【発明の詳細な説明】
【技術分野】
【０００１】
本発明は、野縁受けを介在させる一対の板部を有する補強対象物に取り付けられ、一対の板部が開くように変形するのを抑制する補強部材の技術に関する。
【背景技術】
【０００２】
従来、野縁受けを介在させる一対の板部を有する補強対象物に取り付けられ、一対の板部が開くように変形するのを抑制する補強部材の技術は公知となっている。例えば、特許文献１に記載の如くである。
【０００３】
特許文献１に記載の連結補強具（補強部材）は、ハンガー（補強対象物）の第一縦部及び第二縦部（一対の板部）が開くのを抑制するためのものである。前記連結補強具は、第一縦部及び第二縦部を外側から挟むための一対の挟み込み部と、一対の挟み込み部の一端部を接続する固定部と、により構成された平面視略Ｕ字状に形成される。前記連結補強具は、ハンガーに対して相対移動不能となるように、ネジを用いてハンガーに固定される（位置決めされる）。
【０００４】
特許文献１に記載の連結補強具は、ネジを用いる必要があるため取り付けに手間がかかってしまう。このため、簡単な構成で取り付けられた状態とすることが困難であった。
【先行技術文献】
【特許文献】
【０００５】
【特許文献１】特許第４６６３４３８号公報
【発明の概要】
【発明が解決しようとする課題】
【０００６】
本発明は、以上の如き状況を鑑みてなされたものであり、その解決しようとする課題は、簡単な構成で補強対象物に取り付けられた状態とすることが可能な補強部材を提供するものである。
【課題を解決するための手段】
【０００７】
本発明の解決しようとする課題は以上の如くであり、次にこの課題を解決するための手段を説明する。
【０００８】
即ち、請求項１においては、野縁受けを介在させる一対の板部を有する補強対象物に取り付けられ、前記一対の板部が開くように変形するのを抑制する補強部材であって、平面視で前記一対の板部の周囲を外側から取り囲むように形成された壁部と、前記野縁受けに当接することにより前記野縁受けに引っ掛かる引っ掛け部と、を具備するものである。
【０００９】
請求項２においては、前記引っ掛け部は、前記壁部の下端部が開口された凹状に形成され、前記野縁受けを受け入れると共に、前記引っ掛け部の縁部の少なくとも一部が前記野縁受けに載置されるものである。
【００１０】
請求項３においては、前記引っ掛け部の縁部の少なくとも一部は、前記野縁受けの側面に当接されるものである。
【００１１】
請求項４においては、前記引っ掛け部は、下方に向かうにつれて開口幅が小さくなるようなテーパ状に形成されるものである。
【００１２】
請求項５においては、前記補強対象物は、前記野縁受けを支持するため吊りボルトに吊設されるハンガーであり、前記一対の板部の一方から立ち上がるように形成されると共に前記吊りボルトに取り付けられる立ち上がり部を具備し、前記壁部は、前記壁部の上端部と下端部との間を亘るように延びて形成され、前記補強部材の取り付け時に前記立ち上がり部が通過可能なスリットを具備するものである。
【００１３】
請求項６においては、前記スリットは、上端部又は下端部の少なくともいずれか一方に向かうにつれて前記スリットの横幅が大きくなるようなテーパ部を具備するものである。
【００１４】
請求項７においては、前記壁部は、前記補強部材の取り付け時に、前記スリットの横幅における最も小さい部分が前記立ち上がり部の横幅よりも大きくなるように弾性変形可能に構成されるものである。
【００１５】
請求項８においては、前記壁部は、平面視で略台形状に形成されると共に、上底又は下底に相当する部分に前記スリットが形成されるものである。
【００１６】
請求項９においては、前記壁部は、前記補強部材の取り付け時に、前記一対の板部の少なくとも一部を挟むように塑性変形可能な変形部を具備するものである。
【発明の効果】
【００１７】
本発明の効果として、以下に示すような効果を奏する。
【００１８】
請求項１においては、簡単な構成で補強対象物に取り付けられた状態とすることができる。
【００１９】
請求項２においては、簡単な構成で補強対象物に取り付けられた状態とすることができる。
【００２０】
請求項３においては、野縁受けに対するがたつきの発生を抑制することができる。
【００２１】
請求項４においては、補強対象物からの脱落を抑制することができる。
【００２２】
請求項５においては、ハンガーに簡単に取り付けることができる。
【００２３】
請求項６においては、ハンガーに簡単に取り付けることができる。
【００２４】
請求項７においては、ハンガーに簡単に取り付けることができる。
【００２５】
請求項８においては、ハンガーに対するがたつきの発生を抑制することができる。
【００２６】
請求項９においては、ハンガーに対するがたつきの発生を抑制することができる。
【図面の簡単な説明】
【００２７】
【図１】天井構造を示した正面図。
【図２】吊りボルトの下端部近傍を示した斜視図。
【図３】同じく、側面図。
【図４】（ａ）野縁受け、クリップ及び野縁を示した正面図。（ｂ）同じく、部分側面断面図。
【図５】（ａ）補強部材の前方斜視図。（ｂ）同じく、後方斜視図。
【図６】（ａ）補強部材の正面図。（ｂ）同じく、背面図。（ｃ）同じく、側面図。（ｄ）同じく、平面図。
【図７】補強部材をハンガーに接近させる様子を示した斜視図。
【図８】補強部材を下方へ移動させる様子を示した斜視図。
【図９】（ａ）補強部材をクリップに取り付ける様子を示した側面図。（ｂ）補強部材をクリップに取り付けた状態を示した側面図。
【図１０】（ａ）変形例に係るクリップを示した正面図。（ｂ）同じく、部分側面断面図。
【図１１】（ａ）補強部材を変形例に係るクリップに取り付ける様子を示した側面図。（ｂ）補強部材を変形例に係るクリップに取り付けた状態を示した側面図。
【図１２】（ａ）第一変形例に係る補強部材を示した側面図。（ｂ）第一変形例に係る補強部材をハンガーに取り付けた状態を示した側面図。
【図１３】第二変形例に係る補強部材を示した平面図。
【図１４】第三変形例に係る補強部材の変形部を変形させる前の状態を示した斜視図。
【図１５】第三変形例に係る補強部材の変形部を変形させた後の状態を示した斜視図。
【発明を実施するための形態】
【００２８】
以下の説明においては、図中に記した矢印に従って、上下方向、左右方向及び前後方向をそれぞれ定義する。
【００２９】
以下では、本発明の一実施形態に係る補強部材１００を具備する天井構造１について説明する。
【００３０】
図１に示す天井構造１は、建物の天井Ｂを形成するためのものである。天井構造１は、例えば、店舗及び商業施設等の建物に採用される。天井構造１は、吊りボルト１０、ハンガー２０、野縁受け３０、クリップ４０、野縁５０、下地材６０、仕上げ材７０及び補強部材１００を具備する。
【００３１】
吊りボルト１０は、躯体Ａから吊り下げられるものである。吊りボルト１０は、吊りボルト支持金具（不図示）を用いて鋼材に取り付けられることで躯体Ａに固定される。吊りボルト１０は、左右方向及び前後方向に間隔をあけて複数設けられる（不図示）。
【００３２】
ハンガー２０は、後述する野縁受け３０を支持するためのものである。図２及び図３に示すように、ハンガー２０は、金属製の板状部材を適宜折り曲げたような側面視略Ｊ字状に形成される。ハンガー２０は、底部２１、前板部２２及び後板部２３を具備する。
【００３３】
底部２１は、野縁受け３０が載置される部分である。底部２１は、その板面を上下方向に向けた略板状に形成される。
【００３４】
前板部２２は、底部２１の前端部から上方へ突出する部分である。前板部２２は、その板面を前後方向に向けた略板状に形成される。
【００３５】
後板部２３は、底部２１の後端部から上方へ突出する部分である。後板部２３は、側面視略逆Ｌ字状に形成される。後板部２３は、前板部２２よりもその上下方向幅（高さ）が大きくなるように形成される。後板部２３は、第一板部２４及び第二板部２５を具備する。
【００３６】
第一板部２４は、その板面を前後方向に向けた略板状に形成される。第一板部２４は、対向部２４ａ及び非対向部２４ｂを具備する。
【００３７】
対向部２４ａは、第一板部２４の下部である。より詳細には、対向部２４ａは、第一板部２４のうち、前板部２２と対向する部分（正面視で重複する部分）である。非対向部２４ｂは、第一板部２４の上部（対向部２４ａを除く部分）である。
【００３８】
第二板部２５は、その板面を上下方向に向けた略板状に形成される。第二板部２５は、第一板部２４（非対向部２４ｂ）の上端部から後方へ折れ曲がるように形成される。
【００３９】
このように構成されるハンガー２０は、第二板部２５がナット等の締結部材を介して吊りボルト１０の下端部に固定される。ハンガー２０は、左右方向及び前後方向に間隔をあけて設けられた複数の吊りボルト１０（不図示）にそれぞれ固定される。
【００４０】
図２及び図３に示す野縁受け３０は、後述する野縁５０を支持するためのものである。野縁受け３０は、その長手方向を左右方向に向けた長尺状に形成される。野縁受け３０は、側面視Ｃ字状に形成される。野縁受け３０は、ウェブ３１、上フランジ３２及び下フランジ３３を具備する。
【００４１】
ウェブ３１は、その板面を前後に向けて配置される略板状の部分である。上フランジ３２は、ウェブ３１の上端部から前方へ突出する略板状の部分である。下フランジ３３は、ウェブ３１の下端部から前方へ突出する略板状の部分である。
【００４２】
このように構成される野縁受け３０は、ハンガー２０の内側（底部２１、前板部２２及び後板部２３（対向部２４ａ）の間の空間）に配置される。野縁受け３０は、ハンガー２０の底部２１に載置され、複数のハンガー２０を跨ぐように配置される。
【００４３】
図１及び図４に示すクリップ４０は、野縁５０を野縁受け３０に固定するための金具である。クリップ４０は、金属製の板状部材を適宜折り曲げたような側面視略逆Ｊ字状に形成される。クリップ４０は、側板部４１、上板部４２及び係止片４３を具備する。なお、以下では、図１の右側に示すクリップ４０を基準として、クリップ４０の構成を説明する。
【００４４】
側板部４１は、その板面を前後方向に向けて配置される略板状の部分である。側板部４１は、その下部が野縁５０と係合する。上板部４２は、側板部４１の上端部から後方へ折れ曲がるように形成され、野縁受け３０に載置される。係止片４３は、側板部４１の後端部から下方へ折れ曲がるように形成される。クリップ４０は、側板部４１及び係止片４３によって野縁受け３０を挟むように引っ掛けられて野縁受け３０に支持される。
【００４５】
このように構成されるクリップ４０は、前後方向の向きが互い違いとなるように、左右方向に間隔をあけて野縁受け３０に複数配置される。
【００４６】
野縁５０は、後述する下地材６０及び仕上げ材７０を支持するためのものである。野縁５０は、その長手方向を前後方向に向けた長尺状に形成される。野縁５０は、その上部が開口する正面視略Ｕ字状に形成されると共に、その上端部に左右内側へ突出するリップ部５１が形成される。野縁５０は、当該リップ部５１がクリップ４０（側板部４１）の下部と係合される。野縁５０は、左右方向に間隔をあけて複数設けられる。
【００４７】
下地材６０及び仕上げ材７０は、その板面を上下方向に向けた略板状の部材である。下地材６０及び仕上げ材７０は、上下方向に並んで配置され、野縁５０に固定される。下地材６０及び仕上げ材７０には、エアコン等の設備機器（不図示）が適宜設置される。
【００４８】
以上の如く構成された吊りボルト１０、ハンガー２０、野縁受け３０、クリップ４０、野縁５０、下地材６０及び仕上げ材７０等により、天井Ｂが形成される。当該天井Ｂにおいて、野縁受け３０は、地震等が発生してハンガー２０が揺れた場合に、前板部２２及び後板部２３を押圧したり前板部２２及び後板部２３と衝突する等して前板部２２及び後板部２３に荷重をかけて前板部２２及び後板部２３を開くように変形させ、当該ハンガー２０から脱落する可能性がある。当該脱落により、野縁受け３０に支持されているクリップ４０、野縁５０、下地材６０及び仕上げ材７０等も脱落してしまう。そこで、本実施形態に係る天井構造１は、このような野縁受け３０、クリップ４０、野縁５０、下地材６０及び仕上げ材７０等の脱落（以下、「天井Ｂの脱落」と称する）を抑制するために、補強部材１００を設けている。
【００４９】
補強部材１００は、ハンガー２０の前板部２２及び後板部２３が開くように変形するのを抑制するためのものである。図５及び図６に示すように、補強部材１００は、その軸方向を上下方向に向けた略筒状に形成される。また、補強部材１００は、その後部の一部が開口する平面視略Ｃ字状に形成される。補強部材１００は、前壁部１１０、後壁部１２０、左壁部１３０及び右壁部１４０を具備する。
【００５０】
前壁部１１０は、補強部材１００の前部であると共に、その板面を前後方向に向けて配置される略板状の部分である。前壁部１１０は、正面視略矩形状に形成される。前壁部１１０は、その左右方向幅がハンガー２０の左右方向幅よりも大きい幅となるように形成される。また、前壁部１１０は、その上下方向幅がハンガー２０の非対向部２４ｂの上下方向幅よりも小さくなるように形成される。
【００５１】
後壁部１２０は、補強部材１００の後部であると共に、その板面を前後方向に向けて配置される略板状の部分である。後壁部１２０は、その左右方向幅が前壁部１１０の左右方向幅と略同一の幅となるように形成される。後壁部１２０は、前壁部１１０との間にハンガー２０の前板部２２及び後板部２３（対向部２４ａ）を配置可能となるように、前壁部１１０に対して間隔をあけて配置される。後壁部１２０は、スリット１２１を具備する。
【００５２】
スリット１２１は、後壁部１２０の左右中途部において、後壁部１２０の上端部から下端部までに亘って形成される。後壁部１２０は、当該スリット１２１により左右に分割される。スリット１２１は、ストレート部１２１ａ及びテーパ部１２１ｂを具備する。
【００５３】
ストレート部１２１ａは、その横幅（左右方向幅）が変化しない部分である。ストレート部１２１ａは、上下方向に延びるように形成される。ストレート部１２１ａは、スリット１２１の上端部から上下中途部までに亘って形成される。ストレート部１２１ａは、その横幅がハンガー２０の左右方向幅よりも小さくなるように形成される。
【００５４】
テーパ部１２１ｂは、下方に向かうにつれてその横幅（左右方向幅）が大きくなる部分である。テーパ部１２１ｂは、スリット１２１の上下中途部から下端部までに亘って形成される。テーパ部１２１ｂは、その上端部がストレート部１２１ａと連続する。よって、テーパ部１２１ｂは、その上端部（最も横幅が小さい部分）の横幅が、ストレート部１２１ａの横幅と略同一の幅、すなわちハンガー２０の左右方向幅よりも小さい幅となるように形成される。また、テーパ部１２１ｂは、その下端部（最も横幅が大きい部分）の横幅が、ハンガー２０の左右方向幅よりも大きくなるように形成される。
【００５５】
左壁部１３０は、補強部材１００の左部であると共に、その板面を左右方向に向けて配置される略板状の部分である。左壁部１３０は、前壁部１１０の左端部と後壁部１２０の左端部とを接続する。左壁部１３０は、引っ掛け部１３１を具備する。
【００５６】
引っ掛け部１３１は、野縁受け３０に引っ掛け可能な部分である。引っ掛け部１３１は、左壁部１３０の下端部が開口された凹状に形成される。また、引っ掛け部１３１は、側面視略矩形状に形成される。引っ掛け部１３１は、その開口幅（前後方向幅）が野縁受け３０の前後方向幅と略同一の幅となるように形成される。
【００５７】
右壁部１４０は、補強部材１００の右部である。右壁部１４０は、左壁部１３０と同一形状となるように形成され、前壁部１１０の右端部と後壁部１２０の右端部とを接続する。右壁部１４０は、左壁部１３０の引っ掛け部１３１と同一形状の引っ掛け部１４１を具備する。
【００５８】
次に、図２、図３、図７及び図８を参照してハンガー２０、野縁受け３０及び補強部材１００の取付手順について説明する。
【００５９】
まず、図７に示すように、ハンガー２０の後板部２３（第二板部２５）を吊りボルト１０の下端部に固定する。そして、野縁受け３０をハンガー２０（底部２１）の上方から下方へと移動させ、野縁受け３０をハンガー２０によって支持する。その後、補強部材１００を移動させ、補強部材１００をハンガー２０に嵌め合わせる。
【００６０】
補強部材１００を嵌め合わせる手順について詳述すると、まず、ハンガー２０の非対向部２４ｂを補強部材１００のスリット１２１に通す。このとき、補強部材１００の軸方向を前上方に向けた状態で（斜め向きにして）、当該補強部材１００を非対向部２４ｂの前上方から後下方へと移動させる。こうして、スリット１２１のテーパ部１２１ｂを非対向部２４ｂに接近させる。
【００６１】
前述の如く、テーパ部１２１ｂの下端部（最も横幅が大きい部分）の横幅がハンガー２０の左右方向幅よりも大きいため、ハンガー２０の非対向部２４ｂは、補強部材１００の移動によってテーパ部１２１ｂに入り込む。また、テーパ部１２１ｂは、その上端部（最も横幅が小さい部分）の横幅がハンガー２０の左右方向幅よりも小さいため、補強部材１００の移動によってハンガー２０の非対向部２４ｂと当接する。その後、補強部材１００は、後下方へ移動され、テーパ部１２１ｂが非対向部２４ｂに押し付けられる。これにより、補強部材１００は、スリット１２１が広がる（横幅が大きくなる）ように弾性変形されながら、後下方へさらに移動される。当該弾性変形により、テーパ部１２１ｂの上端部及びストレート部１２１ａは、その横幅がハンガー２０の左右方向幅よりも大きくなって、非対向部２４ｂが通過可能となる。こうして、非対向部２４ｂがスリット１２１に通される。
【００６２】
非対向部２４ｂがスリット１２１に通されると、図８に示すように、補強部材１００は、スリット１２１と非対向部２４ｂとの当接状態が解除されて元の形状に戻る。これにより、補強部材１００は、その内側にハンガー２０の非対向部２４ｂを配置した状態で、前板部２２及び対向部２４ａの上方に位置することとなる。
【００６３】
当該補強部材１００は、その軸方向を上下に向けた状態で、補強部材１００を下方へ移動される。これにより、補強部材１００の内側にハンガー２０の前板部２２及び対向部２４ａが入り込む。また、引っ掛け部１３１・１４１は、補強部材１００の移動によって、その上端部が野縁受け３０の上フランジ３２に当接する。こうして、図２に示すように、引っ掛け部１３１・１４１は、その上端部（縁部）が上フランジ３２に載置され、野縁受け３０に引っ掛けられる。これによって、補強部材１００は、下方への移動が規制される。当該補強部材１００は、前壁部１１０、後壁部１２０、左壁部１３０及び右壁部１４０でハンガー２０の前板部２２及び後板部２３の周囲を外側から取り囲む。
【００６４】
以上によって、補強部材１００がハンガー２０に嵌め合わされ、補強部材１００の取り付けが完了する。
【００６５】
本実施形態に係る補強部材１００は、ハンガー２０への取り付け時に、引っ掛け部１３１・１４１が野縁受け３０に引っ掛かることで、ハンガー２０に対する上下方向の位置を決めることができる。また、補強部材１００は、前壁部１１０等でハンガー２０の前板部２２及び後板部２３の周囲を外側から取り囲むことで、ハンガー２０に対する前後方向及び左右方向の相対的な移動を抑制することができる。以上により、補強部材１００は、ハンガー２０に嵌め合わせるだけでハンガー２０に位置決めすることができる。
【００６６】
また、補強部材１００によれば、地震等が発生してハンガー２０の前板部２２及び後板部２３に荷重がかかって前板部２２及び後板部２３が開くように変形しようとした場合に、当該前板部２２及び後板部２３を前壁部１１０、後壁部１２０、左壁部１３０及び右壁部１４０で支持することができる。これによって、補強部材１００は、地震等が発生した場合に、前板部２２及び後板部２３が開くように変形するのを抑制することができる。
【００６７】
以上のように、補強部材１００によれば、ネジやビス等の取付部材を用いることなく（ハンガー２０に嵌め合わせるだけの簡単な構成で）、ハンガー２０に取り付けて、前板部２２及び後板部２３が開くように変形するのを抑制することができる。これにより、大きなコストや手間をかけることなく野縁受け３０がハンガー２０から脱落するのを抑制することができ、ひいては天井Ｂの脱落を抑制することができる。
【００６８】
また、補強部材１００は、左壁部１３０及び右壁部１４０（２つの壁部）で前壁部１１０及び後壁部１２０を接続している。これによれば、補強部材１００の強度を向上させることができるため、地震等が発生した場合に、補強部材１００が変形したり破損したりするのを抑制できる。このため、補強部材１００をハンガー２０から脱落し難くすることができる。
【００６９】
また、前述の如く、引っ掛け部１３１・１４１は、その開口幅（前後方向幅）が野縁受け３０（上フランジ３２）の前後方向幅と略同一の幅となるように形成される。これにより、引っ掛け部１３１・１４１は、野縁受け３０に引っ掛けられた状態において、その前端部が上フランジ３２の前端部と当接すると共に、その後端部（縁部）がウェブ３１の後面（野縁受け３０の側面）と当接する。このように構成することで、補強部材１００は、野縁受け３０に対して前後方向にずれるのを抑制できるため、野縁受け３０に対するがたつきの発生を抑制することができる。
【００７０】
ここで、図７に示すように、補強部材１００の取り付けにおいては、吊りボルト１０やハンガー２０の非対向部２４ｂ及び第二板部２５が邪魔になることが懸念される。そこで、本実施形態に係る補強部材１００は、非対向部２４ｂ（後板部２３）が通過可能なスリット１２１を形成している。このような構成においては、補強部材１００の取り付け時にスリット１２１に非対向部２４ｂを通すことにより、取り付け時に非対向部２４ｂや第二板部２５が邪魔になり難くなる。このため、補強部材１００をハンガー２０に簡単に取り付けることができる。
【００７１】
また、スリット１２１は、テーパ部１２１ｂを具備している。これにより、スリット１２１にハンガー２０の非対向部２４ｂを通すときに、補強部材１００が非対向部２４ｂに対して左右方向にずれていた場合でも、テーパ部１２１ｂによって補強部材１００を案内することができる。これによって、補強部材１００の非対向部２４ｂに対する位置を合わせることができるため、スリット１２１に非対向部２４ｂを通し易くすることができる。このため、補強部材１００をハンガー２０に簡単に取り付けることができる。
【００７２】
また、本実施形態においては、スリット１２１が広がるように補強部材１００を弾性変形させることで、スリット１２１にハンガー２０の非対向部２４ｂを正面から通すようにしている。これによれば、補強部材１００を回転させることなくハンガー２０に取り付けることができるため、補強部材１００をハンガー２０に簡単に取り付けることができる。
【００７３】
なお、補強部材１００は、全てのハンガー２０に取り付けられる必要はない。例えば、天井Ｂのうち、大きな力がかかる部位（例えば、ブレースや重量のある設備機器が設けられる部位）の周囲のハンガー２０のみに取り付けられてもよい。また、大きな力がかかる部位であるか否かに関わらず、バランスよく（例えば、数箇所飛ばしで）取り付けられてもよい。このように、補強部材１００の取り付けにメリハリをつけることで、費用対効果を向上させることができる。
【００７４】
また、補強部材１００は、既存の天井Ｂに設置済みのハンガー２０に取り付けることもできる。これにより、既存の天井Ｂにおいて、天井Ｂの脱落を抑制することができる。
【００７５】
以上の如く、本実施形態に係る補強部材１００は、野縁受け３０を介在させる前板部２２及び対向部２４ａ（一対の板部）を有するハンガー２０（補強対象物）に取り付けられ、前記前板部２２及び対向部２４ａが開くように変形するのを抑制する補強部材１００であって、平面視で前記前板部２２及び対向部２４ａの周囲を外側から取り囲むように形成された前壁部１１０、後壁部１２０、左壁部１３０及び右壁部１４０（壁部）と、前記野縁受け３０に当接することにより前記野縁受け３０に引っ掛かる引っ掛け部１３１・１４１と、を具備するものである。
【００７６】
このように構成することにより、簡単な構成でハンガー２０に取り付けられた状態とすることができる。具体的には、引っ掛け部１３１・１４１が野縁受け３０に当接することにより、ネジやビス等の取付部材を用いることなく、引っ掛け部１３１・１４１が野縁受け３０に引っ掛かると共に、前壁部１１０、後壁部１２０、左壁部１３０及び右壁部１４０によりハンガー２０に対する平面視における相対的な移動を抑制することができる。このように、簡単な構成でハンガー２０に取り付けられた状態（位置決めされた状態）とすることができる。
【００７７】
また、前記引っ掛け部１３１・１４１は、前記左壁部１３０及び右壁部１４０の下端部が開口された凹状に形成され、前記野縁受け３０を受け入れると共に、前記引っ掛け部１３１・１４１の縁部の少なくとも一部（上端部）が前記野縁受け３０に載置されるものである。
なお、引っ掛け部１３１・１４１の縁部は、引っ掛け部１３１・１４１の内周縁を成す部位であり、具体的には、上端部、前端部及び後端部である。
【００７８】
このように構成することにより、引っ掛け部１３１・１４１を野縁受け３０に上方から引っ掛けることができるため、簡単な構成でハンガー２０に取り付けられた状態とすることができる。
【００７９】
また、前記引っ掛け部１３１・１４１の縁部の少なくとも一部（後端部）は、前記野縁受け３０の側面（ウェブ３１の後面）に当接されるものである。
【００８０】
このように構成することにより、補強部材１００が野縁受け３０に対して前後方向にずれ難くすることができるため、野縁受け３０に対するがたつきの発生を抑制することができる。
【００８１】
また、前記ハンガー２０は、前記野縁受け３０を支持するため吊りボルト１０に吊設されるハンガー２０であり、前記前板部２２及び対向部２４ａの一方から立ち上がるように形成されると共に前記吊りボルト１０に取り付けられる非対向部２４ｂ及び第二板部２５（立ち上がり部）を具備し、前記後壁部１２０は、前記後壁部１２０の上端部と下端部との間を亘るように延びて形成され、前記補強部材１００の取り付け時に前記非対向部２４ｂ及び第二板部２５が通過可能なスリット１２１を具備するものである。
【００８２】
このように構成することにより、補強部材１００の取り付け時に非対向部２４ｂをスリット１２１に通すことができる。これによって、補強部材１００の取り付け時に吊りボルト１０、非対向部２４ｂ及び第二板部２５が邪魔になり難くなるため、補強部材１００をハンガー２０に簡単に取り付けることができる。
【００８３】
また、前記スリット１２１は、上端部又は下端部の少なくともいずれか一方に向かうにつれて前記スリット１２１の横幅が大きくなるようなテーパ部１２１ｂを具備するものである。
【００８４】
このように構成することにより、スリット１２１に非対向部２４ｂを通し易くすることができるため、補強部材１００をハンガー２０に簡単に取り付けることができる。
【００８５】
また、前記前壁部１１０、後壁部１２０、左壁部１３０及び右壁部１４０は、前記補強部材１００の取り付け時に、前記スリット１２１の横幅における最も小さい部分が前記非対向部２４ｂ及び第二板部２５の横幅よりも大きくなるように弾性変形可能に構成されるものである。
【００８６】
このように構成することにより、スリット１２１を広げながら非対向部２４ｂを当該スリット１２１に通すことができる。これによって、補強部材１００を正面から（スリット１２１の平面視における向きを変えることなく）取り付けることができるため、補強部材１００をハンガー２０に簡単に取り付けることができる。
【００８７】
なお、本実施形態に係る前板部２２及び対向部２４ａは、本発明に係る一対の板部の実施の一形態である。
また、本実施形態に係るハンガー２０は、本発明に係る補強対象物の実施の一形態である。
また、本実施形態に係る前壁部１１０、後壁部１２０、左壁部１３０及び右壁部１４０は、本発明に係る壁部の実施の一形態である。
また、本実施形態に係る非対向部２４ｂ及び第二板部２５は、本発明に係る立ち上がり部の実施の一形態である。
【００８８】
以上、本発明の実施形態を説明したが、本発明は上記構成に限定されるものではなく、特許請求の範囲に記載された発明の範囲内で種々の変更が可能である。
【００８９】
例えば、スリット１２１のテーパ部１２１ｂは、必ずしもスリット１２１の下部に形成される必要はなく、例えば、スリット１２１の上部に形成されていてもよい。また、テーパ部１２１ｂは、スリット１２１の下部及び上部にそれぞれ形成されていてもよい。
【００９０】
また、スリット１２１は、必ずしもテーパ部１２１ｂを具備していなくてもよい。すなわち、スリット１２１は、その上端部から下端部までに亘ってその横幅が変化しないものであってもよい。
【００９１】
また、補強部材１００は、ハンガー２０への取り付け時に、スリット１２１に非対向部２４ｂを通すものとしたが、これに限定されるものではなく、例えば、第二板部２５（吊りボルト１０が取り付けられる部分よりも前方）をスリット１２１に通してもよい。
【００９２】
また、補強部材１００は、ハンガー２０に正面から取り付けられるものとしたが、これに限定されるものではなく、ハンガー２０に横（左方や右方）から取り付けられるものであってもよい。この場合、スリット１２１は、例えば、横（左方や右方）に向けられる。補強部材１００は、横（左方や右方）に移動されることで、当該スリット１２１に非対向部２４ｂを通す。その後、補強部材１００は、回転されてスリット１２１が後方に向けられて、図８に示すような状態となる。当該補強部材１００は、下方に移動されてハンガー２０に嵌め合わされる。こうして、補強部材１００は、ハンガー２０に横から取り付けられる。
【００９３】
また、補強部材１００が補強する対象は、野縁受け３０を介在させる一対の板部を具備していれば、ハンガー２０に限定されるものではない。具体的には、補強部材１００が補強する対象は、例えば、クリップ４０であってもよい。クリップ４０を補強する場合、図９（ａ）に示すように、補強部材１００をクリップ４０の上方から下方へと移動させ、補強部材１００をクリップ４０に嵌め合わせる。これによって、図９（ｂ）に示すように、補強部材１００は、側板部４１及び係止片４３を支持して、側板部４１及び係止片４３が開くように変形するのを抑制することができる。
【００９４】
また、クリップ４０は、野縁５０を野縁受け３０に固定可能であれば、その構成は本実施形態に限定されるものではない。クリップ４０は、例えば、図１０に示すような変形例に係るクリップ８０であってもよい。変形例に係るクリップ８０は、野縁５０に対してその前部及び後部の２箇所が係合する点で、本実施形態に係るクリップ４０と相違する。クリップ８０は、側面視略逆Ｕ字状に形成され、頂部８１及び前後一対の板部８２を具備する。頂部８１は、野縁受け３０の上方に配置される。前後一対の板部８２は、その板面を前後方向に向けた略板状に形成され、頂部８１の前端部及び後端部から下方へ突出する。前後一対の板部８２は、野縁受け３０を前後から挟むと共にその下部が野縁５０のリップ部５１と係合する。
【００９５】
また、変形例に係るクリップ８０に補強部材１００を取り付ける場合、図１１（ａ）に示すように、補強部材１００をクリップ８０の上方から下方へと移動させ、補強部材１００をクリップ８０に嵌め合わせる。これにより、図１１（ｂ）に示すように、補強部材１００は、前後一対の板部８２を支持して、前後一対の板部８２が開くように変形するのを抑制することができる。
【００９６】
なお、クリップ４０・８０には、吊りボルト１０やハンガー２０の非対向部２４ｂ及び第二板部２５のような、補強部材１００の取り付け時に邪魔になるものが存在しない。このため、補強部材１００は、クリップ４０・８０に取り付けられる場合、必ずしもスリット１２１を具備していなくてもよい。
【００９７】
また、引っ掛け部１３１・１４１は、図１２（ａ）に示す第一変形例に係る補強部材２００の引っ掛け部２４１のように、テーパ部２４１ａを具備していてもよい。テーパ部２４１ａは、引っ掛け部２４１の前部に形成される。テーパ部２４１ａは、後下方へ延びるように形成される。引っ掛け部２４１は、当該テーパ部２４１ａにより、下方に向かうにつれてその開口幅（前後方向幅）が小さくなるように形成される。引っ掛け部２４１は、補強部材２００がハンガー２０に取り付けられるときに野縁受け３０によって広がるように（開口幅が大きくなるように）弾性変形される。そして、図１２（ｂ）に示すように、引っ掛け部２４１は、補強部材２００がハンガー２０に取り付けられると、元の形状に戻ってテーパ部２４１ａが野縁受け３０の内側に入り込む。引っ掛け部２４１によれば、野縁受け３０が補強部材２００に対して上下に揺動した場合に、テーパ部２４１ａを野縁受け３０に当接させて野縁受け３０から外れるのを抑制することができる。これによって、引っ掛け部２４１は、野縁受け３０に引っ掛かった状態を維持し易くすることができるため、補強部材２００がハンガー２０から脱落するのを抑制することができる。
【００９８】
以上の如く、第一変形例に係る補強部材２００において、前記引っ掛け部２４１は、下方に向かうにつれて開口幅が小さくなるようなテーパ状に形成されるものである。
【００９９】
このように構成することにより、ハンガー２０からの脱落を抑制することができる。
【０１００】
なお、テーパ部２４１ａが形成される壁部は、左壁部１３０又は右壁部２４０の少なくともいずれか一方であればよい。また、テーパ部２４１ａの引っ掛け部２４１における形成箇所は、前部に限定されるものではなく、引っ掛け部２４１の前部又は後部の少なくともいずれか一方であればよい。
【０１０１】
また、補強部材２００は、引っ掛け部２４１が弾性変形されることなく野縁受け３０に引っ掛けられるものであってもよい。この場合、例えば、引っ掛け部２４１は、野縁受け３０に斜めから引っ掛けられる。より詳細には、補強部材２００は、その軸方向を前上方（後下方）に向けた状態で、野縁受け３０の前上方から後下方へ移動される。これにより、テーパ部２４１ａは、野縁受け３０の内側に入り込む。その後、引っ掛け部２４１は、その上端部が野縁受け３０に当接し、野縁受け３０に引っ掛けられる。
【０１０２】
また、左壁部１３０及び右壁部１４０は、図１３に示す第二変形例に係る補強部材３００の左壁部３３０及び右壁部３４０のように、後方に向かうにつれて互いに接近していてもよい。当該補強部材３００は、後壁部１２０（スリット１２１が形成される壁部）及び前壁部１１０が上底及び下底に相当する平面視略台形状に形成される。このように構成される補強部材３００は、ハンガー２０に取り付けられるときに、左壁部３３０及び右壁部３４０の後部がハンガー２０の後板部２３（非対向部２４ｂ）と当接する。当該補強部材３００は、後板部２３によって左壁部３３０及び右壁部３４０の後部が左右方向外側へ広がるように弾性変形された状態でハンガー２０に取り付けられる。これにより、補強部材３００は、左壁部３３０及び右壁部３４０の元に戻ろうとする力を利用して、ハンガー２０を左右方向内側へ押圧することができる。これによって、補強部材３００は、左壁部３３０及び右壁部３４０でハンガー２０を保持することができるため、ハンガー２０に対するがたつきを抑制することができる。
【０１０３】
以上の如く、第二変形例に係る補強部材３００において、前記左壁部３３０及び右壁部３４０は、平面視で略台形状に形成されると共に、上底又は下底に相当する部分に前記スリット１２１が形成されるものである。
【０１０４】
このように構成することにより、ハンガー２０に対するがたつきの発生を抑制することができる。
【０１０５】
なお、左壁部３３０及び右壁部３４０は、前方に向かうにつれて互いに接近していてもよい。
【０１０６】
また、補強部材１００は、図１４に示す第三変形例に係る補強部材４００のように、変形部４４２を具備していてもよい。変形部４４２は、右壁部４４０の前下部に切り込みを入れることで形成される。変形部４４２は、補強部材４００がハンガー２０に嵌め合わされた後で、補強部材４００の左右方向内側へ折り曲げられる。これにより、図１５に示すように変形部４４２は、前板部２２を挟むように塑性変形される。このような変形部４４２によれば、補強部材４００のハンガー２０に対するがたつきを効果的に抑制できる。
【０１０７】
以上の如く、第三変形例に係る補強部材４００において、前記右壁部４４０は、前記補強部材４００の取り付け時に、前記前板部２２及び対向部２４ａの少なくとも一部を挟むように塑性変形可能な変形部４４２を具備するものである。
【０１０８】
このように構成することにより、補強部材４００のハンガー２０に対するがたつきの発生を抑制することができる。
【０１０９】
なお、変形部４４２が挟む部分は、前板部２２に限定されるものではなく、例えば、後板部２３（対向部２４ａ及び非対向部２４ｂ）であってもよい。後板部２３の対向部２４ａを挟む場合、右壁部４４０の後下部に変形部４４２を形成すればよい。また、後板部２３の非対向部２４ｂを挟む場合、右壁部４４０の後上部に変形部４４２を形成すればよい。
【０１１０】
また、変形部４４２は、前板部２２及び後板部２３を挟むことが可能であれば、右壁部４４０以外の壁部（前壁部１１０、後壁部１２０及び左壁部１３０）に形成されるものであってもよい。
【符号の説明】
【０１１１】
２０    ハンガー（補強対象物）
２２    前板部（一対の板部）
２４ａ  対向部（一対の板部）
３０    野縁受け
１００  補強部材
１１０  前壁部（壁部）
１２０  後壁部（壁部）
１３０  左壁部（壁部）
１３１  引っ掛け部
１４０  右壁部（壁部）
１４１  引っ掛け部
【図１】
2019173314.tif 000003
【図２】
2019173314.tif 000004
【図３】
2019173314.tif 000005
【図４】
2019173314.tif 000006
【図５】
2019173314.tif 000007
【図６】
2019173314.tif 000008
【図７】
2019173314.tif 000009
【図８】
2019173314.tif 000010
【図９】
2019173314.tif 000011
【図１０】
2019173314.tif 000012
【図１１】
2019173314.tif 000013
【図１２】
2019173314.tif 000014
【図１３】
2019173314.tif 000015
【図１４】
2019173314.tif 000016
【図１５】
2019173314.tif 000017